(57)【特許請求の範囲】
【請求項１】
原静止画像データによって表される原静止画像をｎ個より大きな複数のエリアに分け，
複数のエリアに分けられた上記原静止画像からｎ個のエリアを抽出し，このｎ個のエリアの画像データによって１つのグループ画像データを形成し，
上記グループに属するｎ個のエリアのうち少なくとも１個のエリアを除いた他のエリアの画像データの高周波成分を除去し，
高周波成分が除去されたエリアの画像データを含む上記グループ画像データを，あらかじめ定められたデータ量となるようにデータ圧縮し，
上記原静止画像のすべてのエリアについて，抽出するエリアを変えながら，上記グループ画像データ形成処理，上記高周波成分除去処理および上記データ圧縮処理を繰り返す反復制御処理を行ない，
これにより得られた１画像分の圧縮画像データを記録媒体の１画像分以上の記録領域に記録し，
上記原静止画像と同一画像を表す（ｎ−１）個の静止画像のそれぞれについて，上記グループを形成するエリアの組み合わせを同一にし，かつ高周波成分を除去するエリアを変えながら，上記エリア分割処理，上記グループ画像データ形成処理，上記高周波成分除去処理，上記データ圧縮処理および上記反復制御処理を行なうことにより，（ｎ−１）画像分の圧縮画像データを得，これらの（ｎ−１）画像分の圧縮画像データを記録媒体の（ｎ−１）画像分以上の記録領域に記録する，  ディジタル画像データ記録方法。
【請求項２】
与えられる画像データによって表される原画像をｎ個より大きな複数のエリアに分ける画像分割手段，上記原画像の複数のエリアのうちｎ個のエリアを抽出し，このｎ個のエリアの画像データによって１つのグループ画像データを形成するグループ画像データ形成手段，上記グループ画像データを，あらかじめ定められたデータ量となるようにデータ圧縮するデータ圧縮手段，上記原画像のすべてのエリアについて，抽出するエリアを変えながら，上記グループ画像データ形成手段におけるグループ画像データ形成処理および上記データ圧縮手段におけるデータ圧縮処理を繰り返し行なう反復制御手段，ならびに上記反復制御手段により得られた１画像分の圧縮画像データを記録媒体の１画像分以上の記録領域に記録する記録制御手段を備えたディジタル画像データの記録装置において，
同一の静止画像を表す静止画像データがｎ駒分与えられ，このｎ駒分のそれぞれの静止画像から同一位置にあるエリアの画像データによって上記グループ画像データをｎ個構成した場合に，異なる駒の静止画像から得られるグループ画像データにおいては上記グループに属するｎ個のエリアのうち高周波成分を残す高周波成分含有エリアと，高周波成分を除去する高周波成分除去エリアとの組み合わせが異なるように上記静止画像上のエリアの位置をそれぞれ算出し，
上記エリア位置算出処理により，ｎ駒分の静止画像上において算出された位置にそれぞれある高周波成分除去エリアに対応するｎ駒分の上記静止画像データの高周波成分を除去し，
上記高周波成分が除去された画像データを一部に含むｎ駒分の画像データを上記画像分割のために上記画像分割手段に与え画像分割処理および上記データ圧縮手段におけるデータ圧縮処理を行ない，得られたｎ駒分の圧縮画像データを上記記録制御手段によってｎ駒分以上の圧縮画像データ記録領域に記録するように上記画像分割手段，上記データ圧縮手段，上記反復制御手段および上記記録制御手段を制御する，
ディジタル画像データ記録方法。
【請求項３】
上記記録媒体に記録されたｎ駒分の圧縮画像データを読取り，  上記読取られた圧縮画像データをデータ伸張し，
上記画像データ伸張処理によりデータ伸張されたｎ駒分の画像データのうち高周波成分が残されたエリアの画像を表す画像データを抽出し，
上記高周波成分画像データ抽出処理により得られた画像データから，上記静止画像を表す画像データを構成して出力する，
請求項１または２に記載のディジタル画像データ記録方法。
【請求項４】
上記高周波成分の除去処理が，
上記高周波成分が残されたエリアを集めることにより，画像をｎ個に分割した場合の一部の画像領域を構成し，この一部の画像領域が異なる駒においては異なる画像領域を構成するように上記高周波成分の画像データを除去する処理を行なうものである，
請求項１または２に記載のディジタル画像データ記録方法。
【請求項５】
上記高周波成分の除去処理が，
ｎ個の画像から構成されたｎ個の上記グループのうち異なるグループにおいては互いに異なるエリアについて高周波成分の画像データを残すように，上記グループ画像データのうち高周波成分の色データを除去するものである，
請求項１または２に記載のディジタル画像データ記録方法。
【請求項６】
同一の静止画像を表し，単位画像データのデータ量のｍ倍のデータ量をもつ精細画像データが与えられるものであり，
上記精細画像データを，それぞれが一駒の画像を表すようにｍ個の単位画像データに分割する単位画像データ分割処理を行ない，
上記エリア分割処理が，
上記画像データ分割処理によって分割された単位画像データによって表される分割画像が複数のエリアに分割するものであり，
上記記録制御処理が，
上記データ圧縮手段から出力されるｍ×ｎ個の単位画像データについての圧縮画像データを，上記記録媒体のｍ×ｎ個以上の単位画像データ記録領域に記録するものである，
請求項１または２に記載のディジタル画像データ記録方法。
【請求項７】
原静止画像データによって表される原静止画像がｎ個より大きな複数のエリアに分けられ，複数のエリアに分けられた上記原静止画像からｎ個のエリアが抽出され，このｎ個のエリアの画像データによって１つグループ画像データが形成され，上記グループに属するｎ個のエリアのうち少なくとも１個のエリアを除いた他のエリアの画像データの高周波成分が除去され，高周波成分が除去されたエリアの画像データを含む上記グループ画像データが，あらかじめ定められたデータ量となるようにデータ圧縮され，上記原静止画像のすべてのエリアについて，抽出するエリアを変えながら，上記グループ画像データ形成処理，上記高周波成分除去処理および上記データ圧縮処理を繰り返す反復制御処理が行なわれ，これにより得られた１画像分の圧縮画像データが記録媒体の１画像分以上の記録領域に記録され，上記原静止画像と同一画像を表す（ｎ−１）個の静止画像のそれぞれについて，上記グループを形成するエリアの組み合わせを同一にし，かつ高周波成分を除去するエリアを変えながら，上記エリア分割処理，上記グループ画像データ形成処理，上記高周波成分除去処理，上記データ圧縮処理および上記反復制御処理を行なうことにより，（ｎ−１）画像分の圧縮画像データが得られ，これらの（ｎ−１）画像分の圧縮画像データが記録媒体の（ｎ−１）画像分以上の記録領域に記録されている記録媒体からｎ駒分の圧縮画像データを読取り，
上記読取られた圧縮画像データをデータ伸張し，
上記画像データ伸張処理によりデータ伸張されたｎ駒分の画像データのうち高周波成分が残されたエリアの画像を表す画像データを抽出し，
上記高周波成分画像データ抽出処理により得られた画像データから，上記静止画像を表す画像データを構成して出力する，
ディジタル画像データ再生方法。
【請求項８】
原静止画像データによって表される原静止画像をｎ個より大きな複数のエリアに分ける画像分割手段，
上記画像分割手段において，複数のエリアに分けられた上記原静止画像からｎ個のエリアを抽出し，このｎ個のエリアの画像データによって１つのグループ画像データを形成するグループ画像データ形成手段，
上記グループに属するｎ個のエリアのうち少なくとも１個のエリアを除いた他のエリアの画像データの高周波成分を除去する高周波成分除去手段，
上記高周波成分除去手段によって，高周波成分が除去されたエリアの画像データを含む上記グループ画像データを，あらかじめ定められたデータ量となるようにデータ圧縮するデータ圧縮手段，
上記原静止画像のすべてのエリアについて，抽出するエリアを変えながら，上記グループ画像データ形成処理，上記高周波成分除去処理および上記データ圧縮処理を繰り返す反復制御処理を行なう反復制御手段，
上記反復制御手段の制御のもとにより得られた１画像分の圧縮画像データを記録媒体の１画像分以上の記録領域に記録する第１の記録制御手段，ならびに
上記原静止画像と同一画像を表す（ｎ−１）個の静止画像のそれぞれについて，上記グループを形成するエリアの組み合わせを同一にし，かつ高周波成分を除去するエリアを変えながら，上記エリア分割処理，上記グループ画像データ形成処理，上記高周波成分除去処理，上記データ圧縮処理および上記反復制御処理を行なうことにより，（ｎ−１）画像分の圧縮画像データを得，これらの（ｎ−１）画像分の圧縮画像データを記録媒体の（ｎ−１）画像分以上の記録領域に記録する第２の記録制御手段，
を備えたディジタル画像データ記録装置。
【請求項９】
与えられる画像データによって表される原画像をｎ個より大きな複数のエリアに分ける画像分割手段，上記原画像の複数のエリアのうちｎ個のエリアを抽出し，このｎ個のエリアの画像データによって１つのグループ画像データを形成するグループ画像データ形成手段，上記グループ画像データを，あらかじめ定められたデータ量となるようにデータ圧縮するデータ圧縮手段，上記原画像のすべてのエリアについて，抽出するエリアを変えながら，上記グループ画像データ形成手段におけるグループ画像データ形成処理および上記データ圧縮手段におけるデータ圧縮処理を繰り返し行なう反復制御手段，ならびに上記反復制御手段により得られた１画像分の圧縮画像データを記録媒体の１画像分以上の記録領域に記録する記録制御手段を備えたディジタル画像データの記録装置において，  同一の静止画像を表す静止画像データがｎ駒分与えられ，このｎ駒分のそれぞれの静止画像から同一位置にあるエリアの画像データによって上記グループ画像データをｎ個構成した場合に，異なる駒の静止画像から得られるグループ画像データにおいては上記グループに属するｎ個のエリアのうち高周波成分を残す高周波成分含有エリアと，高周波成分を除去する高周波成分除去エリアとの組み合わせが異なるように上記静止画像上のエリアの位置をそれぞれ算出するエリア位置算出手段，
上記エリア位置算出手段により，ｎ駒分の静止画像上において算出された位置にそれぞれある高周波成分除去エリアに対応するｎ駒分の上記静止画像データの高周波成分を除去する高周波成分除去手段，
上記高周波成分除去手段により高周波成分が除去された画像データを一部に含むｎ駒分の画像データを上記画像分割のために上記画像分割手段に与え画像分割処理および上記データ圧縮手段におけるデータ圧縮処理を行ない，得られたｎ駒分の圧縮画像データを上記記録制御手段によってｎ駒分以上の圧縮画像データ記録領域に記録するように上記画像分割手段，上記データ圧縮手段，上記反復制御手段および上記記録制御手段を制御する手段，
を備えたディジタル画像データ記録装置。
【請求項１０】
上記記録媒体に記録されたｎ駒分の圧縮画像データを読取る読取手段，
上記読取手段により読取られた圧縮画像データをデータ伸張する画像データ伸張手段，
上記画像データ伸張手段によりデータ伸張されたｎ駒分の画像データのうち高周波成分が残されたエリアの画像を表す画像データを抽出する高周波成分画像データ抽出手段，および
上記高周波成分画像データ抽出手段から出力された画像データから，上記静止画像を表す画像データを構成して出力する画像構成手段，
を備えた請求項８または９に記載のディジタル画像データ記録装置。
【請求項１１】
上記高周波成分除去手段が，
上記高周波成分が残されたエリアを集めることにより，画像をｎ個に分割した場合の一部の画像領域を構成し，この一部の画像領域が異なる駒においては異なる画像領域を構成するように上記高周波成分の画像データを除去する処理を行なうものである，
請求項８または９に記載のディジタル画像データ記録装置。
【請求項１２】
上記高周波成分除去手段が，
ｎ個の画像から構成されたｎ個の上記グループのうち異なるグループにおいては互いに異なるエリアについて高周波成分の画像データを残すように，上記グループ画像データのうち高周波成分の色データを除去するものである，
請求項８または９に記載のディジタル画像データ記録装置。
【請求項１３】
同一の静止画像を表し，単位画像データのデータ量のｍ倍のデータ量をもつ精細画像データが与えられるものであり，
上記精細画像データを，それぞれが一駒の画像を表すようにｍ個の単位画像データに分割する単位画像データ分割手段を備え，
上記画像分割手段が，
上記単位画像データ分割手段によって分割された単位画像データによって表される分割画像が複数のエリアに分割するものであり，
上記データ圧縮手段から出力されるｍ×ｎ個の単位画像データについての圧縮画像データを，上記記録媒体のｍ×ｎ個以上の単位画像データ記録領域に記録する，
請求項８または９に記載のディジタル画像データ記録装置。
【請求項１４】
原静止画像データによって表される原静止画像がｎ個より大きな複数のエリアに分けられ，複数のエリアに分けられた上記原静止画像からｎ個のエリアが抽出され，このｎ個のエリアの画像データによって１つグループ画像データが形成され，上記グループに属するｎ個のエリアのうち少なくとも１個のエリアを除いた他のエリアの画像データの高周波成分が除去され，高周波成分が除去されたエリアの画像データを含む上記グループ画像データが，あらかじめ定められたデータ量となるようにデータ圧縮され，上記原静止画像のすべてのエリアについて，抽出するエリアを変えながら，上記グループ画像データ形成処理，上記高周波成分除去処理および上記データ圧縮処理を繰り返す反復制御処理が行なわれ，これにより得られた１画像分の圧縮画像データが記録媒体の１画像分以上の記録領域に記録され，上記原静止画像と同一画像を表す（ｎ−１）個の静止画像のそれぞれについて，上記グループを形成するエリアの組み合わせを同一にし，かつ高周波成分を除去するエリアを変えながら，上記エリア分割処理，上記グループ画像データ形成処理，上記高周波成分除去処理，上記データ圧縮処理および上記反復制御処理を行なうことにより，（ｎ−１）画像分の圧縮画像データが得られ，これらの（ｎ−１）画像分の圧縮画像データが記録媒体の（ｎ−１）画像分以上の記録領域に記録されている記録媒体からｎ駒分の圧縮画像データを読取る読取手段，
上記読取手段により読取られた圧縮画像データをデータ伸張するデータ伸張手段，
上記画像データ伸張手段によりデータ伸張されたｎ駒分の画像データのうち高周波成分が残されたエリアの画像を表す画像データを抽出する画像データ抽出手段，ならびに
上記高周波成分画像データ抽出手段から出力された画像データから，上記静止画像を表す画像データを構成して出力する画像構成手段，
を備えたディジタル画像データ再生装置。
【発明の詳細な説明】
【０００１】
【技術分野】
この発明は，与えられる画像データによって表される原画像が複数のエリアに分割され，上記複数のエリアのうち所定数のエリアが抽出されてグループを構成し，このグループの画像データが所定のデータ量となるようにデータ圧縮されて記録媒体に記録される装置および方法ならびにそのようにして記録媒体に記録されている圧縮画像データを再生する装置および方法に関する。
【０００２】
【発明の背景】
画像データのデータ量は膨大であることから，画像データをビデオ・テープに記録するディジタル・ビデオ・テープ・レコーダ（ＤＶＴＲ）においては，画像データのデータ圧縮処理を施している。このデータ圧縮処理はたとえば次のようにして行なわれる（シャフリング）。
【０００３】
まず１画面分の画像が８画素×８画素のＤＣＴ（Ｄｉｓｃｒｅｔｅ  Ｃｏｓｉｎｅ  Ｔｒａｎｓｆｏｒｍ）  ブロックに分割される。このＤＣＴブロックのうち４つの輝度ブロックならびにＲ−ＹおよびＢ−Ｙの２つの色差ブロックから１つのマクロ・ブロックが構成される。１画面分の画像すべてについてマクロ・ブロックが構成されると，画像の一部の部分からのみ偏らないように５つのマクロ・ブロックが抽出される。この５つのマクロ・ブロックの画像データのデータ量が，あらかじめ定められたデータ量となるようにデータ圧縮が施される。１画面分の画像すべてについてマクロ・ブロックの抽出およびデータ圧縮処理が施される。
【０００４】
５つのマクロ・ブロックの画像部分が高精細である場合にはデータ圧縮後の画像データ量は多くなるので高周波成分の画像データが切り捨てられることになる。このため高精細画像の記録および再生時にＤＣＴノイズが現われ，画像に破綻をきたすことがある。。
【０００５】
【発明の開示】
この発明は，従来からの画像データの圧縮手法に従ってデータ圧縮ができ，かつ破綻のない高精細画像の再生を可能とすることを目的とする。
【０００６】
第１の発明によるディジタル画像データ記録方法は，原静止画像データによって表される原静止画像をｎ個以上の複数のエリア（マクロ・ブロック）に分け，複数のエリアに分けられた上記原静止画像からｎ個のエリアを抽出し，このｎ個のエリアの画像データによって１つのグループ画像データを形成し，上記グループに属するｎ個のエリアのうち少なくとも１個のエリアを除いた他のエリアの画像データの高周波成分を除去し，高周波成分が除去されたエリアの画像データを含む上記グループ画像データを，あらかじめ定められたデータ量となるようにデータ圧縮し，上記原静止画像のすべてのエリアについて，抽出するエリアを変えながら，上記グループ画像データ形成処理，上記高周波成分除去処理および上記データ圧縮処理を繰り返す反復制御処理を行ない，これにより得られた１画像分の圧縮画像データを記録媒体の１画像分以上の記録領域に記録し，上記原静止画像と同一の（ｎ−１）個の原静止画像のそれぞれについて，上記グループを形成するエリアの組み合わせを同一にし，かつ高周波成分を除去するエリアを変えながら，上記エリア分割処理，上記グループ画像データ形成処理，上記高周波成分除去処理，上記データ圧縮処理および上記反復制御処理を行なうことにより，（ｎ−１）画像分の圧縮画像データを得，これらの（ｎ−１）画像分の圧縮画像データを記録媒体の（ｎ−１）画像分以上の記録領域に記録することを特徴とする。
【０００７】
好ましくは，上記記録媒体に記録されたｎ駒分の圧縮画像データを読取り，上記読取られた圧縮画像データをデータ伸張し，上記画像データ伸張処理によりデータ伸張されたｎ駒分の画像データのうち高周波成分が残されたエリアの画像を表す画像データを抽出し，上記高周波成分画像データ抽出処理により得られた画像データから，上記静止画像を表す画像データを構成して出力する。
【０００８】
第１の発明は上記方法を実現するための装置も提供している。すなわち，原静止画像データによって表される原静止画像をｎ個以上の複数のエリア（マクロ・ブロック）に分ける画像分割手段，上記画像分割手段において，複数のエリアに分けられた上記原静止画像からｎ個のエリアを抽出し，このｎ個のエリアの画像データによって１つグループ画像データを形成するグループ画像データ形成手段，上記グループに属するｎ個のエリアのうち少なくとも１個のエリアを除いた他のエリアの画像データの高周波成分を除去する高周波成分除去手段，上記高周波成分除去手段によって，高周波成分が除去されたエリアの画像データを含む上記グループ画像データを，あらかじめ定められたデータ量となるようにデータ圧縮するデータ圧縮手段，上記原静止画像のすべてのエリアについて，抽出するエリアを変えながら，上記グループ画像データ形成処理，上記高周波成分除去処理および上記データ圧縮処理を繰り返す反復制御処理を行なう反復制御手段，上記反復制御手段の制御のもとにより得られた１画像分の圧縮画像データを記録媒体の１画像分以上の記録領域に記録する第１の記録制御手段，ならびに上記原静止画像と同一の（ｎ−１）個の原静止画像のそれぞれについて，上記グループを形成するエリアの組み合わせを同一にし，かつ高周波成分を除去するエリアを変えながら，上記エリア分割処理，上記グループ画像データ形成処理，上記高周波成分除去処理，上記データ圧縮処理および上記反復制御処理を行なうことにより，（ｎ−１）画像分の圧縮画像データを得，これらの（ｎ−１）画像分の圧縮画像データを記録媒体の（ｎ−１）画像分以上の記録領域に記録する第２の記録制御手段を備えていることを特徴とする。
【０００９】
好ましくは，上記記録媒体に記録されたｎ駒分の圧縮画像データを読取る読取手段，上記読取手段により読取られた圧縮画像データをデータ伸張する画像データ伸張手段，上記画像データ伸張手段によりデータ伸張されたｎ駒分の画像データのうち高周波成分が残されたエリアの画像を表す画像データを抽出する高周波成分画像データ抽出手段，および上記高周波成分画像データ抽出手段から出力された画像データから，上記静止画像を表す画像データを構成して出力する画像構成手段を備える。
【００１０】
この発明によると，あらかじめ定められたｎ個の上記エリアからなるグループが構成される。このグループと同一のグループが，グループを構成するｎ個のエリアに対応する数の分だけｎ駒の静止画像から生成される。ｎ個のクループのうち，互いに異なるグループについては高周波成分の画像データを残すエリアと高周波成分の画像データを除去するエリアとの組合わせが異なるように画像データから高周波成分が除去される。所定のエリアについては画像データの高周波成分が残り，他のエリアについては画像データの高周波成分が除去されているグループの画像データが，そのデータ量があらかじめ定められたデータ量となるようにデータ圧縮され，記録媒体に記録される。
【００１１】
このようにして圧縮画像データが記録媒体に記録されると，再生時において記録媒体から圧縮画像データが読み取られ，データ伸張され，高周波成分が残されてエリアの画像を表す高周波成分画像データが抽出される。抽出された高周波成分画像データから原画像を表す画像データが構成される。この原画像を表す画像データがプリンタに与えられることにより，原画像がプリントされる。
【００１２】
原画像を表す画像データは，すべて高周波成分の画像データから構成されているので高精細の原画像を再生できる。
【００１３】
画像データの圧縮時においては，グループを構成するエリアのうち所定のエリアのみ画像データの高周波成分を残し，他のエリアについては画像データの高周波成分を除去している。このため，グループの画像データ量が比較的少なくなる。グループの画像データのデータ量があらかじめ定められたデータ量となるようにデータ圧縮されても，高周波成分の画像データが切り捨てられることを防止することができる。高周波成分がすべて残っている画像データから原画像を表す画像データを構成することとなるので，高精細の原画像を再生できる。
【００１４】
上記記録装置または記録方法においては，画像の分割およびデータ圧縮処理を行なう過程において高周波成分の除去処理を行なっているが，あらかじめ高周波成分が除去された画像データを上記画像分割手段に与え，画像の分割およびデータ圧縮処理をおこなうようにしてもよい。
【００１５】
この場合には次のようにしてディジタル画像データ記録方法および装置を構成する。
【００１６】
第２の発明は，与えられる画像データによって表される原画像をｎ個以上の複数のエリアに分ける画像分割手段，上記原画像の複数のエリアのうちｎ個のエリアを抽出し，このｎ個のエリアの画像データによって１つのグループ画像データを形成するグループ画像データ形成手段，上記グループ画像データを，あらかじめ定められたデータ量となるようにデータ圧縮するデータ圧縮手段，上記原画像のすべてのエリアについて，抽出するエリアを変えながら，上記グループ画像データ形成手段におけるグループ画像データ形成処理および上記データ圧縮手段におけるデータ圧縮処理を繰り返し行なう反復制御手段，ならびに上記反復制御手段により得られた１画像分の圧縮画像データを記録媒体の１画像分以上の記録領域に記録する記録制御手段を備えたディジタル画像データの記録装置において，同一の静止画像を表す静止画像データがｎ駒分与えられ，このｎ駒分のそれぞれの静止画像から同一位置にあるエリアの画像データによって上記グループ画像データをｎ個構成した場合に，異なる駒の静止画像から得られるグループ画像データにおいては上記グループに属するｎ個のエリアのうち高周波成分を残す高周波成分含有エリアと，高周波成分を除去する高周波成分除去エリアとの組み合わせが異なるように上記静止画像上のエリアの位置をそれぞれ算出し，上記エリア位置算出処理により，ｎ駒分の静止画像上において算出された位置にそれぞれある高周波成分除去エリアに対応するｎ駒分の上記静止画像データの高周波成分を除去し，上記高周波成分が除去された画像データを一部に含むｎ駒分の画像データを上記画像分割のために上記画像分割手段に与え画像分割処理および上記データ圧縮手段におけるデータ圧縮処理を行ない，得られたｎ駒分の圧縮画像データを上記記録制御手段によってｎ駒分以上の圧縮画像データ記録領域に記録するように上記画像分割手段，上記データ圧縮手段，上記反復制御手段および上記記録制御手段を制御することを特徴とする。
【００１７】
第２の発明は上記方法を実現するための装置も提供している。すなわち，与えられる画像データによって表される原画像をｎ個以上の複数のエリアに分ける画像分割手段，上記原画像の複数のエリアのうちｎ個のエリアを抽出し，このｎ個のエリアの画像データによって１つのグループ画像データを形成するグループ画像データ形成手段，上記グループ画像データを，あらかじめ定められたデータ量となるようにデータ圧縮するデータ圧縮手段，上記原画像のすべてのエリアについて，抽出するエリアを変えながら，上記グループ画像データ形成手段におけるグループ画像データ形成処理および上記データ圧縮手段におけるデータ圧縮処理を繰り返し行なう反復制御手段，ならびに上記反復制御手段により得られた１画像分の圧縮画像データを記録媒体の１画像分以上の記録領域に記録する記録制御手段を備えたディジタル画像データの記録装置において，同一の静止画像を表す静止画像データがｎ駒分与えられ，このｎ駒分のそれぞれの静止画像から同一位置にあるエリアの画像データによって上記グループ画像データをｎ個構成した場合に，異なる駒の静止画像から得られるグループ画像データにおいては上記グループに属するｎ個のエリアのうち高周波成分を残す高周波成分含有エリアと，高周波成分を除去する高周波成分除去エリアとの組み合わせが異なるように上記静止画像上のエリアの位置をそれぞれ算出するエリア位置算出手段，上記エリア位置算出手段により，ｎ駒分の静止画像上において算出された位置にそれぞれある高周波成分除去エリアに対応するｎ駒分の上記静止画像データの高周波成分を除去する高周波成分除去手段，上記高周波成分除去手段により高周波成分が除去された画像データを一部に含むｎ駒分の画像データを上記画像分割のために上記画像分割手段に与え画像分割処理および上記データ圧縮手段におけるデータ圧縮処理を行ない，得られたｎ駒分以上の圧縮画像データを上記記録制御手段によってｎ駒分の圧縮画像データ記録領域に記録するように上記画像分割手段，上記データ圧縮手段，上記反復制御手段および上記記録制御手段を制御する手段，を備えていることを特徴とする。
【００１８】
第２の発明においても，第１の発明と同様に再生機能をもたせてもよい。
【００１９】
第２の発明においても高精細の静止画像を再生できる。
【００２０】
上記高周波成分の除去処理を，上記高周波成分が残されたエリアを集めることにより，画像をｎ個に分割した場合の一部の画像領域を構成し，この一部の画像領域が異なる駒においては異なる画像領域を構成するように上記高周波成分の画像データを除去する事が好ましい。
【００２１】
これにより，原画像の再生から動画像の再生に移る場合に，自然に動画再生に移ることができる。
【００２２】
上記高周波成分の除去処理を，ｎ個の画像から構成されたｎ個の上記グループのうち異なるグループにおいては互いに異なるエリアについて高周波成分の画像データを残すように，上記グループ画像データのうち高周波成分の色データを除去するものとしてもよい。
【００２３】
これにより，再生される画像がカラー画像から白黒画像に移り変わるようになる。
【００２４】
さらに，同一の静止画像を表し，単位画像データのデータ量のｍ倍のデータ量をもつ精細画像データが与えられるものであり，上記精細画像データを，それぞれが一駒の画像を表すようにｍ個の単位画像データに分割する単位画像データ分割処理を行ない，上記エリア分割処理を，上記画像データ分割処理によって分割された単位画像データによって表される分割画像が複数のエリアに分割するものとし，上記記録制御処理を，上記データ圧縮手段から出力されるｍ×ｎ個の単位画像データについての圧縮画像データを，上記記録媒体のｍ×ｎ個以上の単位画像データ記録領域に記録するとよい。
【００２５】
ＤＶＴＲの現行の規格では水平方向７２０  画素垂直方向４８０  画素の約３５万画素の画像データが単位画像データとして，ビテオ・テープの単位記録領域に記録される。一方，高精細の画像を得るためにはデータ量の多い画像データを生成すればよい。ところが，ＤＶＴＲの規格は定まっているからデータ量の多い画像データをビデオ・テープに記録することはできない。
【００２６】
上記においては単位画像データのデータ量のｎ倍のデータ量をもつ精細画像が与えられる。この精細画像データは単位画像データのデータ量となるように分割される。分割された画像データについて，画像の分割，エリアの画像データ抽出処理，高周波成分の除去処理およびデータ圧縮処理が行なわれ，圧縮画像データがｎ個の単位画像領域に記録される。
【００２７】
高精細の画像を表す画像データを現行の規格にしたがって記録することができる。この場合においても，高周波成分がすべて残っている画像データから原画像を表す画像データを構成できるのできわめて精細な画像を再生できる。
【００２８】
上記において，画像データの記録装置に再生機能を付加してもよいが，再生装置を単独で構成してもよい。
【００２９】
すなわち，再生方法は，原静止画像データによって表される原静止画像がｎ個以上の複数のエリアに分けられ，複数のエリアに分けられた上記原静止画像からｎ個のエリアが抽出され，このｎ個のエリアの画像データによって１つグループ画像データが形成され，上記グループに属するｎ個のエリアのうち少なくとも１個のエリアを除いた他のエリアの画像データの高周波成分が除去され，高周波成分が除去されたエリアの画像データを含む上記グループ画像データが，あらかじめ定められたデータ量となるようにデータ圧縮され，上記原静止画像のすべてのエリアについて，抽出するエリアを変えながら，上記グループ画像データ形成処理，上記高周波成分除去処理および上記データ圧縮処理を繰り返す反復制御処理が行なわれ，これにより得られた１画像分の圧縮画像データが記録媒体の１画像分以上の記録領域に記録され，上記原静止画像と同一の（ｎ−１）個の原静止画像のそれぞれについて，上記グループを形成するエリアの組み合わせを同一にし，かつ高周波成分を除去するエリアを変えながら，上記エリア分割処理，上記グループ画像データ形成処理，上記高周波成分除去処理，上記データ圧縮処理および上記反復制御処理を行なうことにより，（ｎ−１）画像分の圧縮画像データが得られ，これらの（ｎ−１）画像分の圧縮画像データが記録媒体の（ｎ−１）画像分以上の記録領域に記録されている記録媒体からｎ駒分の圧縮画像データを読取り，上記読取られた圧縮画像データをデータ伸張し，上記画像データ伸張処理によりデータ伸張されたｎ駒分の画像データのうち高周波成分が残されたエリアの画像を表す画像データを抽出し，上記高周波成分画像データ抽出処理により得られた画像データから，上記静止画像を表す画像データを構成して出力することを特徴とする。
【００３０】
再生装置を単独で構成してもよい。すなわち，原静止画像データによって表される原静止画像がｎ個以上の複数のエリアに分けられ，複数のエリアに分けられた上記原静止画像からｎ個のエリアが抽出され，このｎ個のエリアの画像データによって１つグループ画像データが形成され，上記グループに属するｎ個のエリアのうち少なくとも１個のエリアを除いた他のエリアの画像データの高周波成分が除去され，高周波成分が除去されたエリアの画像データを含む上記グループ画像データが，あらかじめ定められたデータ量となるようにデータ圧縮され，上記原静止画像のすべてのエリアについて，抽出するエリアを変えながら，上記グループ画像データ形成処理，上記高周波成分除去処理および上記データ圧縮処理を繰り返す反復制御処理が行なわれ，これにより得られた１画像分の圧縮画像データが記録媒体の１画像分以上の記録領域に記録され，上記原静止画像と同一の（ｎ−１）個の原静止画像のそれぞれについて，上記グループを形成するエリアの組み合わせを同一にし，かつ高周波成分を除去するエリアを変えながら，上記エリア分割処理，上記グループ画像データ形成処理，上記高周波成分除去処理，上記データ圧縮処理および上記反復制御処理を行なうことにより，（ｎ−１）画像分の圧縮画像データが得られ，これらの（ｎ−１）画像分の圧縮画像データが記録媒体の（ｎ−１）画像分以上の記録領域に記録されている記録媒体からｎ駒分の圧縮画像データを読取る読取手段，上記読取手段により読取られた圧縮画像データをデータ伸張するデータ伸張手段，上記画像データ伸張手段によりデータｎ駒分の画像データのうち高周波成分が残されたエリアの画像を表す画像データを抽出する画像データ抽出手段，上記高周波成分画像データ抽出手段から出力された画像データから，上記静止画像を表す画像データを構成して出力する画像構成手段を備えていることを特徴とする。
【００３１】
【実施例の説明】
ディジタル・ビデオ・テープ・レコーダの構成および動作の説明に先だち，ディジタル・ビデオ・テープ・レコーダによる磁気テープへの記録方式に関する既存の標準的な業界規格について説明しておく。
【００３２】
磁気テープの記録フォーマットが図１４（Ａ）  および（Ｂ）  に示されている。図１４（Ａ）  は磁気テープ８のトラックＴｒを示すもので，磁気テープ８の長手方向に対して斜め方向に一定の角度で多数のトラックＴｒが形成される。これらの多数のトラックＴｒのうち連続する１０個のトラックを用いて１フレーム分のディジタル画像データが記録される。
【００３３】
図１４（Ｂ）  にトラック・フォーマットが示されている。１つのトラックＴｒには，サブコード記録領域，ビデオ記録領域，補助記録領域，オーディオ記録領域およびトラック情報記録領域が含まれている。サブコード記録領域には高速検索のためのタイムコードや絶対トラック番号などの情報が記録される。ビデオ記録領域には被写体像を表わすディジタル画像データが記録される。オーディオ記録領域には音を表わすデータが記録される。トラック情報記録領域には磁気ヘッドがトラックＴｒの中心をトレースするための，トラックＴｒの基準となる情報が記録される。補助記録領域は飛び飛びに設けられ，この補助記録領域には付加情報が記録される。各領域の間に設けられるギャップは図示が省略されている。
【００３４】
ディジタル・ビデオ・テープ・レコーダの撮像部に用いられるＣＣＤは一般的には（従来）水平ＣＣＤ転送クロック周波数１３．５ＭＨｚである，水平方向７２０  画素，垂直方向４８０  画素の約３５万画素の画素数をもつものが用いられる。このようなＣＣＤを用いて得られた１フレーム分のディジタル画像データが，磁気テープ８の１０トラックに記録される。これが既存の規格である。
【００３５】
図１はディジタル・ビデオ・テープ・レコーダの電気的構成を示すブロック図である。
【００３６】
図１に示すディジタル・ビデオ・テープ・レコーダは，磁気テープ８へのディジタル画像データの記録および磁気テープ８に記録されたディジタル画像データの再生が可能である。さらに図１に示すディジタル・ビデオ・テープ・レコーダにおいては動画記録および再生に加えて静止画記録および再生が可能である。
【００３７】
図１に示すディジタル・ビデオ・テープ・レコーダにおいては既存の規格のＣＣＤである，水平方向７２０  画素，垂直方向４８０  画素の約３５万画素のＣＣＤを用いて被写体を撮像し，被写体像を表わす画像データを磁気テープ８に記録することができることに加えて，水平方向および垂直方向ともに既存の規格のＣＣＤの画素数の２倍である，水平方向１４４０画素，垂直方向９６０  画素の約１４０  万画素のＣＣＤを用いて被写体を撮像し高精細の被写体像を表わす画像データを磁気テープ８に記録することができる。
【００３８】
まず，水平方向７２０  画素，垂直方向４８０  画素の約３５万画素のＣＣＤを用いて被写体の動画記録を行なう場合について説明する。
【００３９】
ディジタル・ビデオ・テープ・レコーダには，動画記録モードを設定する設定スイッチ６１および静止画記録モードを設定する設定スイッチ６２が含まれている。設定スイッチ６１および６２の設定を表わす信号は静止画切換コントローラ６０に与えられる。
【００４０】
設定スイッチ６１が設定されることにより動画記録モードとなる。動画記録モードとなると１／３０秒周期で，ＣＣＤ１１により被写体が撮影される。被写体像を表わす映像信号がＣＣＤ１１から出力され，ＤＳＰ（Ｄｉｓｉｔａｌ  Ｓｉｇｎａｌ  Ｐｒｏｃｅｓｓｏｒ）１２に含まれる信号処理回路１３に与えられる。
【００４１】
信号処理回路１３には，アナログ／ディジタル変換回路，ガンマ補正回路，ホワイト・バランス調整回路などが含まれており，信号処理回路１３に入力する映像信号のディジタル変換処理，ガンマ補正処理，ホワイト・バランス調整処理などが行なわれる。信号処理回路１３にはさらに，自動露出調整回路，自動合焦回路，自動絞り調整回路などが含まれており，入力する映像信号にもとづいて自動露出調整，自動合焦処理，自動絞り調整などが行なわれる。
【００４２】
信号処理回路１３から出力される画像データはメモリ・コントローラ１４により制御される画像メモリ１６に与えられる。画像メモリ１６は水平方向７２０  画素，垂直方向４８０  画素の約３５万画素の画像データを記憶できる容量を有している。
【００４３】
動画記録モードが設定されているときには切換スイッチ１７および１８はそれぞれａ端子側が接続される。また記録モードでは切換スイッチ４１はａ端子側が接続される。
【００４４】
画像メモリ１６から読出された画像データは切換スイッチ１７および１８を介してシャフリングおよびデシャフリング回路３１に与えられる。また画像メモリ１６から読出された画像データは切換スイッチ４１を介してディジタル／アナログ変換回路４２に与えられる。ディジタル／アナログ変換回路４２においてディジタル画像データがアナログ映像信号に変換される。映像信号はモニタ表示装置４３に与えられ，被写体像が表示される。これにより撮影している被写体が確認される。
【００４５】
ディジタル・ビデオ・テープ・レコーダにおいては，１画面分を８画素×８画素のＤＣＴ（Ｄｉｓｃｒｅｔｅ  Ｃｏｓｉｎｅ  Ｔｒａｎｓｆｏｒｍ  ）ブロックに分割し，輝度についての４つのＤＣＴブロックとＲ−ＹおよびＢ−Ｙの色差についての２つのＤＣＴブロックとから１つのマクロ・ブロックを構成し，さらに２７個のマクロ・ブロックから１つのスーパー・ブロックを構成し，異なるスーパー・ブロックの中から５つのマクロ・ブロックを抽出し，抽出された５つのマクロ・ブロック（これをグループということにする）を表わす画像データのデータ量があらかじめ定められたデータ量となるように画像データをデータ圧縮している。ＤＣＴブロックの構成，マクロ・ブロックの構成，スーパーブロックの構成およびグループの抽出処理を行なう回路がシャフリングおよびデシャフリング回路３１である。シャフリングおよびデシャフリング回路３１における詳しい動作については後述する。
【００４６】
シャフリングおよびデシャフリング回路３１から出力される画像データはマクロ・ブロックを単位として画像メモリ３２に与えられる。一画像分の画像データが画像メモリ３２に記憶される。
【００４７】
画像メモリ３２に記憶された画像データはグループを単位として読出され圧縮伸長回路３３に与えられる。圧縮伸長回路３３においてグループの画像データのデータ量があらかじめ定められたデータ量となるようにデータ圧縮が施される（固定長圧縮）。圧縮画像データはエラー訂正符号付加およびエラー訂正回路３４を通過して画像メモリ３５に与えられ一旦記憶される。圧縮画像データは画像メモリ３５から読出され，エラー訂正符号付加およびエラー訂正回路３４に与えられ，エラー訂正符号が付加される。
【００４８】
エラー訂正符号が付加された画像データは変調復調回路３６に与えられ変調される。変調画像データは記録再生増幅回路３７において増幅され磁気ヘッド３８に与えられる。磁気ヘッド３８により，磁気テープ８のビデオ記録領域Ａ２  に変調画像データが記録される。
【００４９】
次にシャフリングおよびデシャフリング回路３１における動作について説明する。
【００５０】
図３はシャフリングの処理手順を示すフローチャートである。
【００５１】
ＤＣＴブロックを生成する前に，シャフリングおよびデシャフリング回路３１に入力する画像データから輝度データＹならびにＲ−ＹおよびＢ−Ｙの色差データが生成される。Ｒ−ＹおよびＢ−Ｙの色差データについては，水平方向７２０  画素，垂直方向４８０  画素のデータ量をもつ画像データが水平方向１８０  画素，垂直方向４８０  画素のデータ量となるように間引処理が行なわれる。輝度データＹならびにＲ−ＹおよびＢ−Ｙの色差データの生成処理ならびに色差データについての間引処理が行なわれると，ＤＣＴブロックの生成処理が行なわれる（ステップ６５）。
【００５２】
図４（Ａ）  に１フレームのＹデータによって表わされる画面が示されており，図４（Ｂ）  に１フレームのＲ−ＹデータまたはＢ−Ｙデータによって表わされる画面が示されている。
【００５３】
水平走査線の数が５２５  本，フィールド周波数が６０Ｈｚの場合，Ｙデータの画素数は水平方向７２０  画素，垂直方向４８０  画素である。したがってＹデータについては，図４（Ａ）  に示すように水平方向に９０ＤＣＴブロック，垂直方向に６０ＤＣＴブロックに分けられる。また，Ｒ−ＹデータとＢ−Ｙデータの画素数は，水平方向１８０  画素，垂直方向４８０  画素である。したがってＲ−ＹデータおよびＢ−Ｙデータについては図４（Ｂ）  に示すように水平方向２２．５ＤＣＴブロックに分けられる。また右端のブロックについては水平方向４画素，垂直方向８画素の小ブロックとなってしまうため図５に示すように２つの小ブロックから１つのＤＣＴブロックが生成される。
【００５４】
ＤＣＴブロックが生成されると，マクロ・ブロックの生成処理が行なわれる（ステップ６６）。
【００５５】
マクロ・ブロックは図６（Ａ）  に示すように，輝度についての４つのＤＣＴブロックと，画面上においてこの４つのＤＣＴブロックと同じ位置にあるＲ−ＹおよびＢ−Ｙの色差についての２つのＤＣＴブロックとから構成される。但し，画面の右端部においては水平方向に連続する輝度についての４つのＤＣＴブロックを抽出することはできないため図６（Ｂ）  に示すように垂直方向に隣接する輝度の４つのＤＣＴブロックとその輝度についてのＤＣＴブロックの位置に対応する位置にある色差についてのＤＣＴブロックとからマクロ・ブロックが生成される。
【００５６】
マクロ・ブロックが生成されるとスーパーブロックが生成される（ステップ６７）。
【００５７】
図７に示すように１画面が垂直方向に１０分割，水平方向に５分割されスーパーブロックが生成される。１スーパーブロックは２７個のマクロ・ブロックから構成される。水平方向においてｊ＝０およびｊ＝２の列に生成されるスーパーブロックは図８（Ａ）  に示すように右上隅が突出するように形成される。水平方向においてｊ＝１およびｊ＝３の列に生成されるスーパーブロックは図８（Ｂ）  に示すように左下隅が突出するように形成される。水平方向においてｊ＝４の列に生成されるスーパーブロックは図８（Ｃ）  に示すように長方形に形成される。図７において水平方向においては符号ｊで特定され，垂直方向においては符号ｉで特定されるスーパーブロックがＳ（ｊ，ｉ）で示されている。
【００５８】
スーパーブロックが生成されると，グループが生成される（ステップ６８）。セグメントは図７に示す多数のスーパーブロックのうち互いに異なるスーパーブロックから５つのマクロ・ブロックを抽出することにより生成される。
【００５９】
図９はグループを示している。
【００６０】
グループは５つのマクロ・ブロックから構成されている。またマクロ・ブロックは輝度についての４つのＤＣＴブロックとＲ−ＹおよびＢ−Ｙの色差についての２つのＤＣＴブロックとから構成されている。
【００６１】
図９において，マクロ・ブロック番号ＣＭは，グループを形成するのに図７に示す画面上のどこの部分からマクロ・ブロックを抽出すれば良いかを示す番号である。グループは５つのマクロ・ブロックから形成されていることから５つのマクロ・ブロック番号ＣＭによりマクロ・ブロックが特定される。マクロ・ブロック番号ＣＭ（ａ，２，ｋ），ＣＭ（ｂ，１，ｋ），ＣＭ（ｃ，３，ｋ），ＣＭ（ｄ，０，ｋ）およびＣＭ（ｅ，４，ｋ）はそれぞれグループを形成する５つのマクロ・ブロックを特定する。
【００６２】
マクロ・ブロック番号ＣＭの第１段めのアルファベットａ〜ｅは，次式によってそれぞれ定まり，垂直方向でのマクロ・ブロックを抽出すべきスーパーブロックの位置を規定している。
【００６３】
【数１】
ａ＝（ｉ＋２）ｍｏｄ  １０          …第１式
【００６４】
【数２】
ｂ＝（ｉ＋６）ｍｏｄ  １０          …第２式
【００６５】
【数３】
ｃ＝（ｉ＋８）ｍｏｄ  １０          …第３式
【００６６】
【数４】
ｄ＝（ｉ＋０）ｍｏｄ  １０          …第４式
【００６７】
【数５】
ｅ＝（ｉ＋４）ｍｏｄ  １０          …第５式
【００６８】
但し，ｉは垂直方向のスーパーブロックの数に対応しており，０〜９が対応する。
【００６９】
マクロ・ブロック番号ＣＭの第２桁めの数（０〜４）は水平方向でのマクロ・ブロックを抽出すべきスーパーブロックの位置を規定している。マクロ・ブロック番号ＣＭの第３桁めのアルファベットｋはスーパーブロックの中のマクロ・ブロックを規定するもので０〜２６までの数が対応する。マクロ・ブロック番号ＣＭの第１桁めおよび第２桁めにより，マクロ・ブロックを抽出するスーパーブロックの位置が特定され，第３桁めにより特定されたスーパーブロックの中において抽出するマクロ・ブロックの位置が特定される。
【００７０】
マクロ・ブロックを構成するＤＣＴブロックにはＤＣＴブロック番号Ｆ（ｎ１  ，ｎ２  ，ｎ３  ，ｎ４  ）が付されている。ＤＣＴブロック番号Ｆ（ｎ１  ，ｎ２  ，ｎ３  ，ｎ４  ）の第１桁めから第３桁めまではマクロ・ブロック番号ＣＭと同じ番号が付されている。ＤＣＴブロック番号Ｆ（ｎ１  ，ｎ２  ，ｎ３  ，ｎ４  ）の第４桁めはＤＣＴブロックを特定するためのもので０〜５までの数値が振り当てられている。この第４桁めの番号が０，１，２，３，４および５により輝度についての第１番めのＤＣＴブロックＤＣＴ０，第２番めのＤＣＴブロックＤＣＴ１，第３番めのＤＣＴブロックＤＣＴ２，第４番めのＤＣＴブロックＤＣＴ３，Ｒ−Ｙの色差についての第５番めのＤＣＴブロックＤＣＴ４，およびＢ−Ｙの色差についての第６番めのＤＣＴブロックＤＣＴ５が特定される。
【００７１】
いずれにしても，マクロ・ブロック番号にしたがってセグメントを構成するマクロ・ブロックが特定され，ＤＣＴブロック番号にしたがってそのマクロ・ブロックを構成するＤＣＴブロックが特定される。たとえばｉ＝０とするとＳ（２，２），Ｓ（６，１），Ｓ（８，３），Ｓ（０，０）およびＳ（４，４）のスーパーブロックが特定される。
【００７２】
ＤＣＴブロックの画像データは圧縮前は，８バイト×８バイトあり，圧縮後は輝度データについては１４バイト×１バイト，色差データについては１０バイト×１バイトとなる。
【００７３】
またグループには，エラー訂正の結果を表わす情報ＳＴＡ（この情報は，再生時におけるエラー訂正処理で付加される）および圧縮伸長回路３３におけるデータ圧縮時に用いられる量子化ステップの制御量を表わす情報ＱＮＯを付加する領域も設けられている。
【００７４】
このようにして形成されるグループを表わす画像データが画像メモリ３２を介して圧縮伸長回路３３に与えられ，グループを表わす画像データのデータ量があらかじめ定められるようにデータ圧縮される。このデータ圧縮処理は次のようにして行なわれる。
【００７５】
まず，グループを表わす画像データが所定の圧縮率でデータ圧縮される。所定の圧縮率でデータ圧縮した場合，各ＤＣＴブロック内の画像の疎密の程度により，各ＤＣＴブロックの画像データ量が異なる。各ＤＣＴブロックの圧縮後のデータ量はあらかじめ定められており，各ＤＣＴブロックにおいてオーバフローしたデータは各マクロ・ブロックごとに一旦所定の領域に格納される。各ＤＣＴブロックにおいて空領域があれば各マクロ・ブロックごとに対応して，オーバフローしたデータが，その同一のマクロ・ブロック内の空領域に格納される。同一のマクロ・ブロック内の空領域に収まらない場合は，所定の領域に格納され，グループのどこかの領域のＤＣＴブロックの空領域に格納される。それでもオーバフローがあるとそのオーバフローしたデータは切捨てられる。これにより，圧縮後のセグメントの画像データのデータ量が一定とされる。
【００７６】
図１０から図１２は，スーパーブロックが生成された１画面分の画像データから５つのマクロ・ブロックを抽出してグループを生成する処理および生成されたグループから得られる画像データをデータ圧縮しあらかじめ定められたデータ量を越えたオーバーフロー・データを切捨てる処理手順を示すフローチャートである。
【００７７】
図１０から図１２において，ｉは垂直方向におけるスーパーブロックの位置の番号（この場合図７に示すようにｉ＝０〜９），ｋはスーパーブロック内のマクロ・ブロックの位置を示す番号（ｋ＝０〜２６），ｍはグループ内のマクロ・ブロックの番号（ｍ＝０〜４），ｌはマクロ・ブロック内のＤＣＴブロックの番号（ｌ＝０〜５）である。またａ〜ｅはマクロ・ブロックを抽出するスーパーブロックの垂直方向における位置を示す番号で第１式〜第５式により特定されるものである。
【００７８】
図１０〜図１２に加えて図７および図９を参照して，垂直方向のスーパーブロックの位置番号ｉがリセットされ（ステップ７１），第１式〜第５式にしたがってマクロ・ブロックを抽出するスーパーブロックの垂直方向における位置を示す番号が算出される（ステップ７２）。またスーパーブロック内のマクロ・ブロックの位置を示す番号ｋ，グループ内のマクロ・ブロックの番号ｍおよびマクロ・ブロック内のＤＣＴブロックの番号ｌがそれぞれリセットされる（ステップ７３，７４，７５）。これにより図９に示すマクロ・ブロック番号ＣＭが決定され，１つの画面から５つのマクロ・ブロックが抽出されセグメントが生成される。
【００７９】
生成されたセグメントを構成する５つのマクロ・ブロックの画像データがＤＣＴブロックごとに所定の圧縮率でデータ圧縮される。圧縮された画像データは各ＤＣＴブロックごとに所定の領域に一旦記憶される。各ブロックごとに所定の領域において記憶する画像データのデータ量は定まっており，オーバーフローしたデータについては，グループを構成する５つのマクロ・ブロックの各マクロ・ブロックごとにあらかじめ定められた第１の領域に一旦記憶される（ステップ７６）。このステップ７６の処理が，マクロ・ブロックの６つのＤＣＴブロックの画像データすべてについて行なわれ（ステップ７７，７８），グループすべてについて行なわれる（ステップ７９，８０）。
【００８０】
つづいて，グループ内のマクロ・ブロックの番号ｍおよびマクロ・ブロック内のＤＣＴブロックの番号ｌが再びリセットされる（ステップ８１，８２）。ステップ７６において一旦記憶されたオーパフロー・データが読出される。オーバーフロー・データが生じたＤＣＴブロックのあるマクロ・ブロックと同一のマクロ・ブロックであって空のＤＣＴブロックの領域に格納される。この格納処理においてもオーバーフローが生じた場合は残データとしてグループごとに定められた第２の所定の領域に一旦記憶される（ステップ８３）。このステップ８３の処理が，マクロ・ブロックの６つのＤＣＴブロックの画像データすべてについて行なわれ（ステップ８４，８５），グループすべてについて行なわれる（ステップ８６，８７）。
【００８１】
さらにつづいて，グループ内のマクロ・ブロックの番号ｍおよびマクロ・ブロック内のＤＣＴブロックの番号ｌが再びリセットされる（ステップ８８，８９）。ステップ８９においてグループごとに一旦記憶された残データが読出される。この残データはグループ内にある空の領域のＤＣＴブロックの領域に格納される（ステップ９０）。このステップ９０の処理が，マクロ・ブロックの６つのＤＣＴブロックの画像データすべてについて行なわれ（ステップ９１，９２），グループすべてについて行なわれる（ステップ９３，９４）。
【００８２】
ＤＣＴブロックの空領域に残データが収まらなかった場合にはその残データは切捨てられる（ステップ９５）。
【００８３】
以上のような圧縮後の画像データの格納処理が他のグループを構成して，１画面分すべてについて行なわれる（ステップ９６〜９９）。
【００８４】
再び図１を参照して，静止画モード設定スイッチ６２により静止画記録モードが設定された場合について説明する。
【００８５】
静止画記録モードにおいては，この実施例におけるＤＶＴＲでは，同一の被写体像を表わす画像データが５フレームにわたって磁気テープ８に記録される。図１３（Ａ）  〜（Ｅ）  に同一の被写体像を表わす５駒分の画像が示されている。この実施例におけるＤＶＴＲにおいては同一の被写体像を表わす５駒分の画像においてそれぞれ生成されるグループは，同一位置のマクロ・ブロックから構成される。グループを構成する５つのマクロ・ブロックのうち，１つのマクロ・ブロックのみがマクロ・ブロック内の画像データの高周波成分が残存し，残りの４つのマクロ・ブロックについてはマクロ・ブロック内の画像データの高周波成分が除去される。高周波成分が残存するマクロ・ブロックは，異なる画像のグループでは異なるマクロ・ブロックとなるように高周波成分の除去処理が行なわれる。図１３（Ａ）  〜（Ｅ）  においては，高周波成分が残存しているマクロ・ブロックはハッチングで示されており，高周波成分が除去されたマクロ・ブロックは空白の枠で示されている。１つのマクロ・ブロックの画像データの高周波成分が残存し，残りの４つのマクロ・ブロックについては画像データの高周波成分が除去されているグループの画像データが，データ量が一定となるようにデータ圧縮される。高周波成分は１つのマクロ・ブロックの画像データのみ残っているので，グループの画像データがデータ圧縮処理において切捨てられることもない。
【００８６】
このようにして，５フレームにわたって画像データが磁気テープ８に記録されると，再生時において，高周波成分が残存しているマクロ・ブロックの画像データのみが抽出され高精細な静止画像が復元される。
【００８７】
静止画記録モードが設定され，シャッタ・レリーズ・ボタン（図示略）の押下げがあるとその押下げのタイミングにより被写体が撮像され，被写体像を表わす画像データが画像メモリ１６に記憶される，静止画記録モードが設定されると，静止画切換コントローラ６０によって切換スイッチ１７および１８はそれぞれｂ端子側が接続される。画像メモリ１６に記憶された画像データは読出され，セグメント内特定マクロ・ブロック処理回路２０に与えられる。
【００８８】
グループ内特定マクロ・ブロック処理回路２０が，図１３（Ａ）  〜（Ｅ）  に示したようにグループを構成する５つのマクロ・ブロックのうち特定の１つのマクロ・ブロックの画像データの高周波成分を残し，他の４つのマクロ・ブロックの画像データの高周波成分を除去する回路である。グループ内特定マクロ・ブロック処理回路２０の詳細図が図２に示されているが，これについては後述する。グループ内特定マクロ・ブロック処理回路２０の出力画像データは切換スイッチ１８を介してシャフリングおよびデシャフリング回路３１に与えられる。
【００８９】
シャフリンクおよびデシャフリング回路３１以降の処理は，静止画記録モードであっても動画記録モードと同じである。グループ内特定マクロ・ブロック処理回路２０から出力される画像データはシャフリングおよびデシャフリング回路３１においてＤＣＴブロック生成処理，マクロ・ブロック生成処理，スーパーブロック生成処理およびグループ生成処理がなされる画像メモモリ３２を介して圧縮伸長回路３３に与えられる。圧縮伸長回路３３において，グループの画像データのデータ量が一定となるようにデータ圧縮が施される。グループ内特定マクロ・ブロック処理回路２０において，グループを構成する５つのマクロ・ブロックのうち４つのマクロ・ブロックの画像データの高周波成分が除去されているので，データ圧縮処理時の画像データの切捨てが防止される。
【００９０】
図２を参照して，グループ内特定マクロ・ブロック処理回路２０について説明する。
【００９１】
グループ内特定マクロ・ブロック処理回路２０は，グループを構成するマクロブロックのうち高周波成分を除去するマクロ・ブロックの画像データを検出し，検出した画像データの高周波成分を除去するものである。
【００９２】
セグメント内特定マクロ・ブロック処理回路２０には高周波除去マクロ・ブロック位相算出回路２６が含まれている。高周波除去マクロ・ブロック位相算出回路２６には，静止画切換コントローラ６０から静止画記録モード設定信号が与えられ，信号処理回路１３から画素クロック信号ＣＫ，水平同期信号Ｈおよび垂直同期信号Ｖが与えられている。マクロ・ブロック・データ変更位相算出回路２６は静止画切換コントローラ６０から静止画記録モード設定信号が与えられているときに動作する。高周波除去マクロ・ブロック位相算出回路２６は，入力するクロック信号ＣＫ，水平同期信号Ｈおよび垂直同期信号Ｖにもとづいて図１３（Ａ）  〜（Ｅ）  に示すように同一被写体についての５つの画像のうち同一のマクロ・ブロックからグループを構成した場合に，異なる駒のグループにおいては異なるマクロ・ブロックについて画像データの高周波成分が残り，他のマクロ・ブロックの画像データの高周波成分が除去されるように，フレーム画像中における高周波成分を除去する画像データの位置を算出する。フレーム画像中における高周波成分を除去する画像データの位置を示す位相信号は切換制御信号として切換スイッチ２４および２５に与えられるとともに，磁気テープ８の補助領域に記録される補助領域データとしてエラー訂正符号付加およびエラー訂正回路３４に与えられる。
【００９３】
高周波除去マクロ・ブロック位相算出回路２６においては画像データが，同一の被写体像を表わしていることを表わす同一画像識別データも出力される。この同一画像識別データも補助領域データとしてエラー訂正符号付加およびエラー訂正回路３４へ与えられる。
【００９４】
切換スイッチ２４および２５は，高周波除去マクロ・ブロック位相算出回路２６から与えられる位相信号にもとづいて，高周波成分を除去する画像データがグループ内特定マクロ・ブロック処理回路２０に入力するときにはそれぞれｂ端子側が接続され，高周波成分を残す画像データがグループ内特定マクロ・ブロック処理回路２０に入力するときにはそれぞれａ端子側が接続される。
【００９５】
グループ内特定マクロ・ブロック処理回路２０に入力した画像データは，Ｙ／Ｃ分離回路２１に与えられ輝度データＹならびにＲ−ＹおよびＢ−Ｙの色差データＣに分離される。輝度データＹは高域信号除去回路２２および切換スイッチ２４のａ端子側に与えられる。色差データＣは高域信号除去回路２３および切換スイッチ２５のａ端子側に与えられる。高域信号除去回路２２および２３は，入力する輝度データおよび色差データＣの高周波成分を除去する回路である。高域信号除去回路２２および２３から出力される輝度データＹおよび色差データＣは切換スイッチ２４および２５のｂ端子にそれぞれ与えられる。したがって切換スイッチ２４のａ端子には高周波成分が除去されていない輝度データＹが与えられ，切換スイッチ２４のｂ端子には高周波成分が除去された輝度データＹが与えられる。また切換スイッチ２５のａ端子には高周波成分が除去されていない色差データＣが与えられ，切換スイッチ２５のｂ端子には高周波成分が除去された色差データが与えられる。
【００９６】
切換スイッチ２４および２５は，高周波成分除去マクロ・ブロック位相算出回路２６から与えられる位相信号にもとづいて，高周波成分を除去する画像データがグループ内特定マクロ・ブロック処理回路２０に入力するときにはｂ端子側が接続されるから，高周波成分を除去する画像データがグループ内特定マクロ・ブロック処理回路２０に入力するときには高域信号除去回路２２および２３において高周波成分が除去された輝度データＹおよび色差データＣが切換スイッチ２４および２５の出力データとなる。
【００９７】
切換スイッチ２４および２５を通過した輝度データＹおよび色差データＣはＹ／Ｃ合成回路２７に与えられ合成される。Ｙ／Ｃ合成回路２７から出力される合成画像データがグループ内特定マクロ・ブロック処理回路２０の出力画像データとなり，切換スイッチ１８を介してシャフリングおよびデシャフリング回路３１に与えられる。
【００９８】
高周波除去マクロ・ブロック位相算出回路２６から出力される位相信号および同一画像識別データはエラー訂正符号付加およびエラー訂正回路３４に与えられる。エラー訂正符号付加およびエラー訂正回路３４において，画像データに位相信号および同一画像識別データが付加される。位相信号および同一画像識別データが付加された画像データが磁気テープ８に与えられ，画像データは磁気テープ８のビデオ記録領域に記録され，位相信号および同一画像識別データは磁気テープ８の補助領域に記録される。
【００９９】
図１に示すＤＶＴＲは画像データの記録に加えて再生が可能である。
【０１００】
再生モードが設定されると，切換スイッチ４１はｂ端子側が接続される。
【０１０１】
磁気テープ８のビデオ記録領域に記録された画像データおよび補助領域に記録された補助領域データが，磁気ヘッド３８によって読取られる。磁気ヘッド３８によって読取られたデータは記録再生増幅回路３７において増幅され変調復調回路３６に与えられる。記録再生増幅回路３７において増幅されたデータは波形等化回路４５にも与えられる。波形等化回路４５において波形等化のための制御信号が生成され変調復調回路３６に与えられる。変調復調回路３６において画像データの復調処理および波形等化処理が行なわれる。
【０１０２】
変調復調回路３６から出力される画像データはエラー訂正符号付加およびエラー訂正回路３４を通過して画像メモリ３５に与えられ一旦記憶される。画像メモリ３５に記憶された画像データは順次読出され，エラー訂正符号付加およびエラー訂正回路３４においてエラー訂正符号にもとづいてエラー訂正処理が行なわれる。エラー訂正された画像データは圧縮伸長回路３３に与えられデータ伸長が施され，画像メモリ３２に与えられ一旦記憶される。
【０１０３】
画像データは画像メモリ３２から読出されシャフリングおよびデシャフリング回路３１に与えられ，画像データが画面上のもとの位置に戻される。シャフリングおよびデシャフリング回路３１の出力画像データは切換スイッチ４１を介してディジタル／アナログ変換回路４２に与えられアナログ映像信号に変換される。このアナログ映像信号はモニタ表示装置４３に与えられ可視表示される。
【０１０４】
シャフリングおよびデシャフリング回路３１から出力される画像データは，画像メモリ１６に与えられる。またエラー訂正符号付加およびエラー訂正回路３４において補助領域記録データが抽出されグループ内マクロ・ブロック検出回路５０に与えられる。グループ内マクロ・ブロック検出回路５０は静止画記録モード検出回路５１および高周波含有マクロ・ブロック検出回路５２とから構成されている。
【０１０５】
静止画記録モード検出回路５１において入力する補助領域データにもとづいて（たとえば同一画像識別データにもとづいて），シャフリングおよびデシャフリング回路３１から出力される画像データが静止画記録モードで記録されたものかどうかが検出される。動画記録モードで記録されたものであればシャフリングおよびデシャフリング回路３１から出力される画像データを画像メモリ１６に記録する処理は行なわれない。静止画記録モードで記録されたものであれば，補助領域データにもとづいて，高周波含有マクロ・ブロック検出回路５２において高周波成分が残っている画像データにより構成されるマクロ・ブロックの画面上における位置が検出される。高周波含有マクロ・ブロック検出回路５２から出力される高周波含有マクロ・ブロック検出信号はメモリ・コントローラ１４に与えられる。メモリ・コントローラ１４において，高周波含有マクロ・ブロック検出回路５２から出力される検出信号にもとづいて，高周波成分を有する画像データのみが画像メモリ１６に記憶される。画像メモリ１６には連続する５フレーム分の画像データのうち高周波成分を有する画像データのみが記憶される。高周波成分を有する画像データのマクロ・ブロックは５つのうち１つの割合であるから，５フレーム分の画像データから１フレーム分の画像を表わす画像データが画像メモリ１６に記憶される。画像メモリ１６に記憶される画像データはすべて高周波成分を有するものとなり，この画像データによって表わされる画像は高精細なものとなる。
【０１０６】
画像メモリ１６に記憶された画像データは，プリンタ・インターフェイス１５を介してプリンタ装置５５に与えられ高精細画像がプリントされる。
【０１０７】
図１５から図２１は図１に示すＤＶＴＲにおいて，磁気テープ８に記録された画像データによって表わされる画像（記録再生画像）と再生時に合成して得られる画像（合成画像）との例を示している。
【０１０８】
図１５は５フレームにわたって同一被写体の静止画像を表わす画像データを磁気テープ８に記録する場合に，画像データによって表される記録再生画像（記録再生画像においては高周波成分を含む画像データによって表わされる領域の部分が実線で，高周波成分が除去された画像データによって表わされる領域の部分が鎖線で示されている）および合成画像を示している。
【０１０９】
図１５に示す例では第１フレームから第１５０  フレームでは動画記録モードにおいて静止画が連続記録されている。第１５１  フレームから第１５５  フレームまでは，静止画記録モードで記録され画像を横方向に５分割したときに，第１５１  フレームは最も左側の領域が高精細となり（高周波成分の画像データによって表わされる），第１５２  フレームは左側から２番めの領域が高精細となり，第１５３  フレームは中央の領域が高精細となり，第１５４  フレームは右側から２番めの領域が高精細となり，第１５５  フレームは最も右側の領域が高精細となるように，画像データの高周波成分の除去処理が行なわれる。図１５に示すように第１５１  フレームから第１５５  フレームにわたって高精細な画像の領域部分が左側から右側に移動するようにするには，第１５１  フレームの画像を表わす画像データの高周波成分の除去処理を行なう場合図７に示す画像の最も左側の列のスーパーブロックから抽出されるマクロ・ブロックの画像データについては高周波成分を残し，その他の４つのマクロ・ブロックの画像データの高周波成分を除去すればよい。以下同様に，第１５２  フレーム，第１５３  フレーム，第１５４  フレームおよび第１５５  フレームの画像を表わす画像データの高周波成分の除去処理を行なう場合，図７に示す画像の左側から第２番め，第３番め，第４番めおよび第５番めの列のスーパーブロックから抽出されるマクロ・ブロックの画像データについて高周波成分を残し，その他の４つのマクロ・ブロックの画像データの高周波成分を除去すれば良い。
【０１１０】
このようにして画像データを磁気テープ８に記録することにより動画再生時には図１５の上部に示すように第１フレームから第１５０  フレームまたは静止画像がモニタ表示装置４３の表示画面上に表示され，第１５１  フレームから第１５５  フレームまでは一部が高精細画像である静止画像がモニタ表示装置４３の表示画面上に表示される。また上述したように５フレームにわたって記録されいる画像データのうち，高周波成分を有する画像データを抽出し合成画像を生成することにより高精細な静止画像がプリンタ装置５５からプリントされる。
【０１１１】
図１６は他の例による記録再生画像と合成画像を示している。
【０１１２】
図１５に示す記録再生画像が，横方向に５分割されて５分割された領域の一の領域が高精細な領域となっているのに対して，図１６に示す記録再生画像は縦方向に５分割されて５分割された領域の一の領域が高精細な領域となっている。高精細な領域の画像を合成して，１つの高精細な画像が構成されるのは図１６に示すものと同様である。図１６に示す記録再生画像を生成するには，図７に示すグループ生成処理において垂直方向に１０分割されたスーパーブロックのうち，第１５１  クレーム，第１５２  クレーム，第１５３  クレーム，第１５４  クレームおよび第１５５  クレームの画像を表わす画像データの高周波成分の除去処理を行なう場合，それぞれ図７に示す第１行および第２行，第３行および第４行，第５行および第６行，第７行および第８行ならびに第９行および第１０行のスーパーブロックから抽出されるマクロ・ブロックについて高周波成分の除去処理を行なえば良い。この場合であっても動画再生によりモニタ表示装置４３の表示画面には図１６上部に示す記録再生画像が表示され，静止画再生によりプリンタ装置５５から高精細な合成画像がプリントされる。
【０１１３】
図１７はさらに他の例による記録再生画像と合成画像を示している。
【０１１４】
図１５および図１６が，合成画像を生成するための静止画像を５フレームにわたって記録しているのに対して，図１７に示す例は合成画像を生成するための静止画像を２フレームにわたって記録している。
【０１１５】
図１７に示す例では，第１５１  フレームの画像を表わす画像データの高周波成分の除去処理を行なう場合図７に示す画像の左側の３列のスーパーブロックから抽出されるマクロ・ブロックの画像データについては高周波成分を残し，その他のマクロ・ブロックの画像データの高周波成分を除去すればよい。また第１５２  フレームの画像を表わす画像データの高周波成分の除去処理を行なう場合図７に示す画像の右側の２列のスーパーブロックから抽出されるマクロ・ブロックの画像データについては高周波成分を残し，その他のマクロ・ブロックの画像データの高周波成分を除去すればよい。
【０１１６】
図１７に示す例においても第１５１  フレームの画像の高精細の領域部分と第１５２  フレームの画像の高精細の領域部分とを合成することにより，高精細の合成画像を得ることができる。
【０１１７】
図１８はさらに他の例による記録再生画像と合成画像を示している。
【０１１８】
図１５に示す例が合成画像を生成するための静止画像を５フレームにわたって記録しているのに対して図１８に示す例は，合成画像を生成するための静止画像を２８フレームにわたって記録している。
【０１１９】
図１８においては，図１８に示す鎖線で示す画像の部分からマクロ・ブロックを抽出してグループを構成する場合，そのマクロ・ブロックの画像データについて高周波成分の除去処理を行なえばよい。この場合，同一のスーパーブロックの中からマクロ・ブロックを抽出する場合であっても高周波成分の画像データを抽出する場合と抽出しない場合とに分かれることとなろう。
【０１２０】
合成画像を生成する場合は，第１５１  フレームから第１７８  フレームのうち高精細の領域部分を組合わせることにより１つの精細画像を構成できるような画像に選択され，高精細画像が合成されることとなる。もちろん高精細の画像領域部分において画像合成において不要な部分の画像を表わす画像データは切捨てられることとなろう。
【０１２１】
図１９はさらに他の例による記録再生画像と合成画像を示している。
【０１２２】
図１９に示す例では，第１５１  フレームから第１８１  フレームの画像はフレーム番号が多くなるにつれて色差データが少なくなるもので第１８１  フレームの画像は輝度データのみによって表わされる白黒画像となる。図１９に示す例では第１５１  フレームからフレーム番号が増えるにつれ，Ｒ−ＹおよびＢ−Ｙの色差データの高周波成分を除去するＤＣＴブロックの数を徐々に増やせばよい。この場合は同一のマクロ・ブロックを構成するＤＣＴブロックであっても色差データについては高周波成分の除去処理が行なわれるが，輝度データについては高周波成分の除去処理は行なわれないであろう。もっとも，色差データを除去したＤＣＴブロックが構成するマクロ・ブロックを構成するＤＣＴブロックの色差データについては高周波成分を除去せず，色差データが除去されていないＤＣＴブロックが構成するマクロ・ブロックを構成するＤＣＴブロックの輝度データについては高周波成分を除去するようにしてもよい。これにより，複数の成分が除去されていない色差データとフレーム画像を表わす画像データから高周波成分が除去されていない色差データと輝度データとから高精細のカラー画像を復元することができる。
【０１２３】
図２０はさらに他の例による記録再生画像と合成画像を示している。
【０１２４】
図２０に示す例では記録再生画像を縦方向および横方向とも多数の領域に分割し，この分割領域のうち鎖線で示す領域については色差データの高周波成分を除去するものである。図２０に示す例においても，高周波成分が除去されていない色差データおよび輝度データを抽出し，１つの高精細のカラー画像を復元することができる。
【０１２５】
図２１および図２２はさらに他の実施例を示すもので，図２１は水平方向１４４０画素垂直方向９６０  画素の約１４０  万画素のＣＣＤを用いて被写体を撮影した場合の記録再生画像および合成画像の例を示し，図２２は，水平方向１４４０画素垂直方向９６０  画素の約１４０  万画素の画像を，１／４のデータ量をもつ水平方向７２０  画素垂直方向４８０  画素の約３５万画素の画像に分割する方法を示している。
【０１２６】
ＤＶＴＲの記録の規格では，水平方向７２０  画素垂直方向４８０  画素の約３５万画素の画像データを１フレーム画像のデータとして磁気テープ８のビデオ記録領域に記録するように定まっているから，水平方向１４４０画素垂直方向９６０  画素の約１４０  万画素の画像データを１フレーム画像のデータとして磁気テープ８のビデオ記録領域に記録することはできない。このため水平方向１４４０画素垂直方向９６０  画素の約１４０  万画素の画素数をもつＣＣＤを用いて被写体を撮影した場合，図２２に示すように水平方向および垂直方向ともに１／２の画素数，水平方向７２０  画素，垂直方向４８０  画素の約３５万画素の画素数をもつ画像データに４分割される。
【０１２７】
図２２を参照して，この４分割の画像は，○印，△印，×印および□印で表わすように奇数行の奇数列の画素を抽出して構成される第１の分割画像，偶数行の奇数列の画素を抽出して構成される第２の分割画像，奇数行の偶数列の画素を抽出して構成される第３の分割画像および偶数行の奇数列の画素を抽出して構成される第４の分割画像となるように構成される。これらの４つの分割画像を４フレームにわたって記録することによりＤＶＴＲの規格にしたがって記録ができる。
【０１２８】
図２１を参照して，４つの分割画像が得られると，図２０に示す例と同様にそれぞれの分割画像から同一の２つの画像を生成しこれら２つの画像をさらにそれぞれ多数の領域に分割し，鎖線で示す領域については色差データの高周波成分を除去して磁気テープ８に記録する。図２１に示す例では結局８フレームにわたって分割画像を磁気テープ８に記録する。
【０１２９】
再生時においては２つに分割された画像の高周波成分が残された画像データを抽出し，抽出した画像データから４つの分割画像を復元し，さらに４つの分割画像を合成し，水平方向１４４０画素垂直方向９６０  画素の高精細な画像が復元される。
【０１３０】
図２０および図２１に示す例では，４つの分割画像が１つの高精細画像から分割されたものであることを示す識別データが補助領域データとして磁気テープ８の補助領域に記録され，この補助領域データにもとづいて，４分割画像から高精細画像が復元される。
【０１３１】
上述の実施例においてはシャフリングおよびデシャフリング回路３１に与える前に高周波成分を除去する画像データを検出し，あらかじめ高周波成分が除去された画像データを一部に含む画像データをシャフリングおよびデシャフリング回路３１に与えているが，シャフリングおよびデシャフリング回路３１においてシャフリングされ出力される画像データについて高周波成分の除去処理を行なうようにしてもよい。その場合には，シャフリングおよびデシャフリング回路３１の後段に高域信号除去回路を接続し，高周波成分を除去する画像データが出力されるときにはその高域信号除去回路に与え高周波成分を残す画像データが出力されるときにはその高域信号除去回路を回避するようなスイッチ回路が設けられ，その上でデータ圧縮処理が施されることとなろう。
【０１３２】
さらに上記実施例においては，５フレーム分の圧縮画像データは磁気テープ８の５フレーム分の記録領域に記録しているが，これを５フレーム分以上の記録領域に記録するようにしてもよい。
【図面の簡単な説明】
【図１】ディジタル・ビデオ・テープ・レコーダの電気的構成を示すブロック図である。
【図２】グループ内特定マクロ・ブロック処理回路の電気的構成を示すブロック図である。
【図３】シャフリングの処理手順を示すフローチャートである。
【図４】（Ａ）  は１フレームの輝度データにより表わされる画面を，（Ｂ）  は１フレームの色差データにより表わされる画面を表している。
【図５】画面の右端におけるブロック生成処理を示している。
【図６】（Ａ）  および（Ｂ）  はマクロ・ブロックを示している。
【図７】スーパーブロックからマクロ・ブロックを抽出し，グループを生成する処理を示している。
【図８】（Ａ）  ，（Ｂ）  および（Ｃ）  はスーパーブロックの一例を示している。
【図９】グループの一例を示している。
【図１０】スーパーブロックからマクロ・ブロックを抽出し，グループを生成する処理およびデータ圧縮に際して生じたオーバーフローデータの格納処理を表わすフローチャートの一部である。
【図１１】スーパーブロックからマクロ・ブロックを抽出し，グループを生成する処理およびデータ圧縮に際して生じたオーバーフロー・データの格納処理を表わすフローチャートの一部である。
【図１２】スーパーブロックからマクロ・ブロックを抽出し，グループを生成する処理およひデータ圧縮に際して生じたオーバーフロー・データの格納処理を表わすフローチャートの一部である。
【図１３】（Ａ）  〜（Ｅ）  は，同一の被写体像を表わす画像データから同一位置のマクロ・ブロックでグループを生成する処理を示している。
【図１４】（Ａ）  は磁気テープのフォーマットを示し，（Ｂ）  はトラック・フォーマットを示している。
【図１５】磁気テープに記録される画像データによって表わされる記録再生画像と，記録再生画像の高精細の部分から構成される合成画像を示している。
【図１６】磁気テープに記録される画像データによって表わされる記録再生画像と，記録再生画像の高精細の部分から構成される合成画像を示している。
【図１７】磁気テープに記録される画像データによって表わされる記録再生画像と，記録再生画像の高精細の部分から構成される合成画像を示している。
【図１８】磁気テープに記録される画像データによって表わされる記録再生画像と，記録再生画像の高精細の部分から構成される合成画像を示している。
【図１９】磁気テープに記録される画像データによって表わされる記録再生画像と，記録再生画像の高精細の部分から構成される合成画像を示している。
【図２０】磁気テープに記録される画像データによって表わされる記録再生画像と，記録再生画像の高精細の部分から構成される合成画像を示している。
【図２１】高画素数のＣＣＤによって撮影され，磁気テープに記録される画像データによって表わされる記録再生画像と，記録再生画像の高精細の部分から構成される合成画像を示している。
【図２２】高画素数の画像を４つの画像に分割する様子を示している。
【符号の説明】
１２  ＤＳＰ
１４  メモリ・コントローラ
１６，３２，３５  画像メモリ
２０  グループ内特定マクロ・ブロック処理回路
２２，２３  高域信号除去回路
２４，２５  切換スイッチ
２６  高周波除去マクロ・ブロック位相検出回路
５０  グループ内マクロ・ブロック検出回路
５１  静止画記録モード検出回路
５２  高周波含有マクロ・ブロック検出回路
【図１】
0003590677.tif 000002
【図２】
0003590677.tif 000003
【図３】
0003590677.tif 000004
【図４】
0003590677.tif 000005
【図５】
0003590677.tif 000006
【図６】
0003590677.tif 000007
【図７】
0003590677.tif 000008
【図８】
0003590677.tif 000009
【図９】
0003590677.tif 000010
【図１０】
0003590677.tif 000011
【図１１】
0003590677.tif 000012
【図１２】
0003590677.tif 000013
【図１３】
0003590677.tif 000014
【図１４】
0003590677.tif 000015
【図１５】
0003590677.tif 000016
【図１６】
0003590677.tif 000017
【図１７】
0003590677.tif 000018
【図１８】
0003590677.tif 000019
【図１９】
0003590677.tif 000020
【図２０】
0003590677.tif 000021
【図２１】
0003590677.tif 000022
【図２２】
0003590677.tif 000023